(57)【要約】【課題】ヒューマンエラーを起こすことなく、的確に操作機器を操作することができるようにした機器誤認操作防止用タブレット及び機器誤認操作防止ユニットを提供する。【解決手段】機器誤認操作防止用タブレットは、複数のピン１ａ，２ａを突設した取付台座１，２と、ピン１ａ，２ａが貫通する掛止孔１０ａ，２０ａを線対称に設けた２枚一組の札状の操作札１０，２０とを組み合わせ、操作札１０，２０が表面同士又は裏面同士を向き合わせて取付台座１，２に重ね合わされる。そして、磁力によって開閉する接点３３ａに磁力を作用させる磁石１１が一方の操作札１０の一端側に備えられ、磁力によって開閉する前記と別の接点３３ｂに磁力を作用させる磁石２１が他方の操作札２０の他端側に備えられている。また、機器誤認操作防止ユニットは、機器誤認操作防止用タブレットと、可動部３１が固定部３２に接離する２か所の接点３３ａ，３３ｂを有する開閉器とを組み合わせたものである。【選択図】図２
2012016190.tif 000002
【特許請求の範囲】
【請求項１】
複数のピンを突設した取付台座と、前記ピンが貫通する掛止孔を線対称に設けた２枚一組の札状の操作札とを組み合わせ、前記操作札が表面同士又は裏面同士を向き合わせて前記取付台座に重ね合わされる機器誤認操作防止用タブレットであって、
磁力によって開閉する接点に磁力を作用させる磁石が一方の操作札の一端側に備えられ、磁力によって開閉する前記と別の接点に磁力を作用させる磁石が他方の操作札の他端側に備えられていることを特徴とする機器誤認操作防止用タブレット。
【請求項２】
請求項１に記載の機器誤認操作防止用タブレットと、可動部が固定部に接離する２か所の接点を有する開閉器とが組み合わされた機器誤認操作防止ユニットであって、
前記各接点が取付台座に重ね合わされた操作札の磁力によって閉状態となるように、各接点が取付台座に近接して配置されていることを特徴とする機器誤認操作防止ユニット。
【請求項３】
前記開閉器は、電気回路に備えられたスイッチであることを特徴とする請求項２に記載の機器誤認操作防止ユニット。
【発明の詳細な説明】
【技術分野】
【０００１】
本発明は、例えば、指令所と作業現場とで使用され、作業現場の機器を誤ることなく操作することができるようにした機器誤認操作防止用タブレット及びこの機器誤認操作防止用タブレットによって開閉する開閉器が組み合わされた機器誤認操作防止ユニットに関する。
【背景技術】
【０００２】
例えば、発変電所においては、図４ないし図８に示すように、指令所Ｘと作業現場Ｙとの間において機器誤認操作防止タブレットが使用されている。
【０００３】
この機器誤認操作防止タブレットは、指令所Ｘ内で所内結線表示板用又は模擬母線用として使用される複数（１枚のみ図示）の取付台座（以下、「表示用の取付台座」という。）１、作業現場Ｙに設置される複数（１枚のみ図示）の取付台座（以下、「機器用の取付台座」という。）２、そして、各取付台座１，２に着脱される２枚一組の札（ふだ）状の操作札１０，２０を複数組（一組のみ図示）、組み合わせたものである。
【０００４】
表示用の取付台座１も機器用の取付台座２も鉛直姿勢で設置され、特定の操作札１０，２０が特定の取付台材１，２に鉛直姿勢で吊り下げられるように重ね合わされることで、作業現場Ｙの操作機器（図示せず）を誤りなく操作できるようになっている。なお、操作機器としては、図４ないし図８に示さないが、キュービクル内から出し入れされる真空遮断器（以下、「遮断器」という。）などがある。
【０００５】
ここで、機器誤認操作防止タブレットについて詳しく説明すると、表示用の取付台座１及び機器用の取付台座２には、複数本（図面では３本）のピン１ａ，２ａが突設されているが、表示用の取付台座１のピン１ａと、機器用の取付台座２のピンと２ａは線対称に配置されている。そして、表示用の取付台座１及び機器用の取付台座２は複数組備えられているが、ピン１ａ，２ａは表示用の取付台座１と機器用の取付台座２それぞれの組ごとに固有の位置に突設されている。
【０００６】
また、２枚一組として使用される操作札１０，２０は、表示用の取付台座１及び機器用の取付台座２のピン１ａ，２ａが貫通する掛止孔１０ａ，２０ａを線対称に設けた合札である。したがって、２枚一組の操作札１０，２０に形成された掛止孔１０ａ，２０ａも当然、各表示用の取付台座１及び機器用の取付台材２に対応して複数種類設けられている（図面では１種類のみ示す。）。
【０００７】
そして、機器誤認操作防止タブレットは、特定の操作札１０，２０のみが特定の表示用の取付台座１及び機器用の取付台材２に重ね合わせることができ、特定でない操作札（１０，２０）は、特定の表示用の取付台座１及び機器用の取付台座２に重ね合わせることができないようにされている。また、各操作札１０，２０には、例えば、一方の面（例えば表面）に赤色を塗布して「機器番号」（図示せず）及び「押入」又は「切」などの文字が刻印され、他方の面（例えば裏面）に緑色を塗布して「機器番号」（図示せず）及び「引出」又は「入」などの文字が刻印されている。
【０００８】
ここで、このような機器誤認操作防止タブレットの使用方法について説明する。当初、図４（ａ）（ｂ）に示すように、指令所Ｘのある表示用の取付台座１に重ね合わされたある操作札（以下、「Ａ操作札」という。）１０は、「押入」という文字を露出（表示）し、作業現場Ｙのある機器用の取付台座２に重ね合わされた操作札（以下、「Ｂ操作札」という。）２０も、「押入」という文字を露出（表示）しているとする。なお、Ａ，Ｂ操作札１０，２０が各取付台座１，２と重なり合っている裏面には「引出」という文字が刻印されている。また、作業現場Ｙのある操作機器は、遮断器がキュービクル内に押し入れられている。
【０００９】
そして、この遮断器をキュービクル内から引き出す場合は、図５に示すように、指令所Ｘの表示用の取付台座１に重ね合わされたＡ操作札１０を外し、表裏を反転した上、図６に示すように、このＡ操作札１０を作業現場Ｙの機器用の取付台座２に重ね合わせる。機器用の取付台座２に突設されたピン２ａが表示用の取付台座１に突設されたピン１ａと線対称とされているため、Ａ操作札１０は、表裏反転されることで、機器用の取付台座２に重ね合わせることができる。また、特定のＡ操作札１０の掛止孔１０ａは、特定でない他の機器用の取付台座２に突設されたピン２ａと合わず、特定のＡ操作札１０のみが特定の機器用の取付台座２に重ね合わせられる。
【００１０】
そして、表裏反転したＡ操作札１０には、「引出」という文字が表示される。したがって、作業者は、このＡ操作札１０に対応した操作機器の遮断器を引き出すという指示を受けていることを確認（照合）し、操作機器の遮断器をキュービクル内から引き出す。このとき、Ａ操作札１０と機器用の取付台座２との間には、Ｂ操作札２０が挟まれている。
【００１１】
その後、作業者は、Ａ操作札１０とＢ操作札２０を機器用の取付台座２から一旦、外し、図７に示すように、Ａ操作札１０を再び機器用の取付台座２に重ね合わせる。そして、作業者は、図８に示すように、表示用の取付台座１のピン１ａをＢ操作札２０の掛止孔２０ａに挿通することで、Ｂ操作札２０を指令所Ｘの表示用の取付台座１に重ね合わせる。Ｂ操作札２０は、機器用の取付台座２に重ね合わされていたときと表裏反転して表示用の取付台座１に重ね合わされるため、「引出」という文字が露出（表示）される。したがって、指令所Ｘでは、操作機器の遮断器がキュービクル内から引き出されていることを確認できる。
【００１２】
前記のようなタブレットを用いた機器誤認操作防止方法及びそのタブレットについての発明が特許文献１に記載されている。
【先行技術文献】
【特許文献】
【００１３】
【特許文献１】特開２００８−１１８７９４号公報
【発明の概要】
【発明が解決しようとする課題】
【００１４】
前記のような機器誤認操作防止タブレットにあっては、作業者が特定の操作札１０，２０を特定の機器用の取付台座２に重ね合わせ、確認（照合）することにより、特定の操作機器の遮断器をキュービクル内から引き出すようになっている。換言すれば、作業者は、特定の操作札を特定の機器用の取付台座２に重ね合わせなくても（照合しなくても）、操作機器の遮断器をキュービクル内から引き出すことができる。したがって、従来の機器誤認操作防止タブレットにあっては、作業者が特定でない操作機器の遮断器をキュービクル内から誤って引き出し（ヒューマンエラー）、停電などの事故を起こし得るものとなっている。
【００１５】
そこで、本発明は、ヒューマンエラーを起こすことなく、的確に操作機器を操作することができるようにした機器誤認操作防止用タブレット及び機器誤認操作防止ユニットを提供することを課題とする。
【課題を解決するための手段】
【００１６】
本発明に係る機器誤認操作防止用タブレットは、複数のピンを突設した取付台座と、前記ピンが貫通する掛止孔を線対称に設けた２枚一組の札状の操作札とを組み合わせ、前記操作札が表面同士又は裏面同士を向き合わせて前記取付台座に重ね合わされる機器誤認操作防止用タブレットであって、磁力によって開閉する接点に磁力を作用させる磁石が一方の操作札の一端側に備えられ、磁力によって開閉する前記と別の接点に磁力を作用させる磁石が他方の操作札の他端側に備えられていることを特徴としている。
【００１７】
この機器誤認操作防止用タブレットによれば、札（ふだ）状の操作札が２枚一組とされ、一方の操作札の一端側と他方の操作札の他端側とにそれぞれ磁石が備えられていることにより、この磁石が磁力によって開閉する２か所の接点を開閉することができる。すなわち、２か所の接点は、この２か所の接点に近接して２枚の操作札が重ね合わされることにより、磁力によって閉となり、２枚の操作札が重ね合わされないことにより、開となるようにされている。
【００１８】
また、本発明に係る機器誤認操作防止ユニットは、前記本発明に係る機器誤認操作防止用タブレットと、可動部が固定部に接離する２か所の接点を有する開閉器とが組み合わされた機器誤認操作防止ユニットであって、前記各接点が取付台座に重ね合わされた操作札の磁力によって閉状態となるように、各接点が取付台座に近接して配置されていることを特徴としている。
【００１９】
この機器誤認操作防止ユニットによれば、機器誤認操作防止用タブレットに近接して配置された開閉器は、２枚の操作札が重ね合わされたときのみ、閉状態となる。すなわち、作業者は、２枚の操作札を重ね合わさないと、開閉器を閉状態とすることができないため、開閉器をヒューマンエラーなく的確に開閉することができる。
【００２０】
また、前記本発明に係る機器誤認操作防止ユニットにおいて、前記開閉器は、電気回路に備えられたスイッチであることが好ましい。この機器誤認操作防止ユニットによれば、開閉器を電気回路の配線に組み込み、通電したり、遮断したりするスイッチとして的確に使用することができる。
【発明の効果】
【００２１】
本発明によれば、一端側に磁石を備えた操作札と他端側に磁石を備えた操作札とが重ね合わされることにより、接点が磁気によって閉とされる機器誤認操作防止用タブレット及びこの機器誤認操作防止用タブレットを備えた機器誤認操作防止ユニットが提供されることにより、ヒューマンエラーをなくし、事故を防止することができる。
【図面の簡単な説明】
【００２２】
【図１】本発明に係る機器誤認操作防止用タブレットの一実施形態の要部を示す概略分解斜視図である。
【図２】本発明に係る機器誤認操作防止ユニットの一実施形態であって、（ａ）は開状態を示す概略側面図、（ｂ）は閉状態を示す概略側面図、（ｃ）は開状態を示す概略側面図である。
【図３】本発明に係る機器誤認操作防止ユニットによって操作される遮断器を備えた操作機器であって、（ａ）は遮断器がキュービクル内に押し入れられている状態を示す概略側面図、（ｂ）は遮断器がキュービクル外へ引き出された状態を示す概略側面図である。
【図４】従来の機器誤認操作防止タブレットの一例であって、（ａ）は分解概略斜視図、（ｂ）は概略斜視図である。
【図５】従来の機器誤認操作防止タブレットの一例であって、操作札を交換する途中の状態を示す概略斜視図である。
【図６】従来の機器誤認操作防止タブレットの一例であって、操作札を交換する途中の状態を示す概略斜視図である。
【図７】従来の機器誤認操作防止タブレットの一例であって、操作札を交換する途中の状態を示す概略斜視図である。
【図８】従来の機器誤認操作防止タブレットの一例であって、操作札を交換し終えた状態を示す概略斜視図である。
【発明を実施するための形態】
【００２３】
本発明に係る機器誤認操作防止用タブレット及び機器誤認操作防止ユニットの一実施形態について図１ないし図３を参照しながら説明する。なお、従来と同一に相当する部分は、同一符号を付して説明する。
【００２４】
この機器誤認操作防止用タブレットは、従来と同様、指令所Ｘ内に鉛直姿勢で設置される複数の表示用の取付台座１（図４ないし図８参照）、作業現場Ｙで鉛直姿勢で設置される複数（１枚のみ図示）の機器用の取付台座２、特定の取付台座１，２専用に着脱される２枚一組の札（ふだ）状の操作札１０，２０を複数組（一組のみ図示）、組み合わせたものであるが、従来と異なり、一方、例えばＡ操作札１０の一端（例えば下端）側に磁石１１が備えられ、他方、例えばＢ操作札２０の他端（例えば上端）側に磁石２１が備えられたことを特徴としている。
【００２５】
Ａ，Ｂ操作札１０，２０は、基板１２，２２の下端側、上端側に開口部（図示せず）を設け、この開口部に磁石１１，２１を嵌め込んだものとしてもよいし、開口部を設けていない基板の片面又は両面の下端側、上端側にシート状の磁石を貼り付けたものとしてもよいし、前記基端１２，２２の半分の大きさの基板と板状の磁石との端面同士を突き合わせて一体化したものとしてもよい。
【００２６】
いずれにしても、Ａ，Ｂ操作札１０，２０には、各取付台座１，２のピン１ａ，２ａが貫通する掛止孔１０ａ，２０ａが形成されている。また、各操作札１０，２０には、例えば、一方の面（例えば表面）に赤色を塗布して「機器番号」（図示せず）及び「押入」又は「切」などの文字が刻印され、他方の面（例えば裏面）に緑色を塗布して「機器番号」（図示せず）及び「引出」又は「入」などの文字が刻印されている。
【００２７】
そして、機器誤認操作防止ユニットは、図２に示すように、機器誤認操作防止用タブレットと開閉器３０とを組み合わせたもので、開閉器３０は、磁力によって作動する可動部３１が固定部３２に接離する２か所の接点３３ａ，３３ｂを有している。なお、可動部３１は、磁石３１ａが取り付けられることによって、前記操作札１０，２０の磁石１１，２１の磁力の作用を受けるようにしたものとすることができる。
【００２８】
そして、図２に示した開閉器３０は、ソレノイド４１を接続した電気回路４０に組み込まれるスイッチであり、２か所の接点３３ａ，３３ｂが閉となると、通電し、ソレノイド４１を励磁する。換言すると、一方の接点３３ａ，３３ｂが開であると、通電されず、ソレノイド４１が励磁されない。
【００２９】
この開閉器３０は、図３に示すように操作機器５０が、真空遮断器（遮断器）５１をキュービクル５２内から出し入れするようにした装置であると、遮断器５１の車体５１ａの底面からピン５１ｂを突出・退入させるソレノイド４１を励磁するためのスイッチとされる。
【００３０】
ピン５１ｂは、電気回路４０に組み込まれたソレノイド４１が励磁されることによって車体５１ａ内に退入するようになっている。また、車体５１ａは、車輪５１ｃによってレール５３上を走行し、キュービクル５２内から出し入れされる。
【００３１】
そして、キュービクル５２内の床面には、下方に突出したピン５１ｂを受け入れる受穴部５４が設けられている。したがって、遮断器５１は、電気回路４０が通電されず、ソレノイド４１が励磁されないと、ピン５１ｂが受穴部５４内に突出し、ロックが掛かった状態となることで、遮断器５１がレール５３上を移動できないようにされている。
【００３２】
ここで、このような機器誤認操作防止ユニット及び機器誤認操作防止用タブレットの使用方法について説明する。
【００３３】
当初、図３（ａ）に示すように、遮断器５１がキュービクル５２内に入れられているとする。このとき、図２（ａ）に示すように、Ｂ操作札２０が作業現場Ｙの機器用の取付台座２に重ね合わされ、Ｂ操作札２０の上側の磁石２１の磁力によって、開閉器３０は、一方（図２において上側）の可動部３１が固定部３２に接し、上側の接点３３ａは閉の状態となっている。
【００３４】
しかし、他方（図２において下側）の接点３３ｂは、可動部３１が固定部３２から離れ、開の状態となっているため、電気回路４０は通電せず、ソレノイド４１が励磁されていない。したがって、遮断器５１のピン５１ｂが受穴部５４内に突出し、遮断器５１はキュービクル５２内から出ることができない。なお、作業現場ＹのＢ操作札２０及び指令所ＸのＡ操作札１０は、「押入」という文字を露出（表示）している。
【００３５】
そして、作業者が指令所Ｘの表示用の取付台座１（図４ないし図８参照）に重ね合わされていたＡ操作札１０を取って、機器用の取付台座２のＢ操作札２０の上に重ね合わせる。すると、図２（ｂ）に示すように、Ａ操作札１０の下側の磁石１１の磁力によって、開閉器３０は、下側の可動部３１も固定部３２に接し、下側の接点３３ｂが閉の状態となる。したがって、電気回路４０が通電し、ソレノイド４１が励磁される。
【００３６】
すると、遮断器５１のピン５１ｂの下端部が受穴部５４内から抜け出て、遮断器５１をキュービクル５２内から引き出すことができる。したがって、遮断器５１は、Ａ操作札１０とＢ操作札２０とを特定の機器用の取付台座２に重ね合わせることによって、キュービクル５２内から引き出すことができる。すなわち、遮断器５１をキュービクル５２内から引き出す操作において、ヒューマンエラーが発生しない。なお、このとき、機器用の取付台座２に重ね合わされたＡ操作札１０は、「引出」という文字が露出（表示）している。
【００３７】
そして、遮断器５１がキュービクル５２内から完全に引き出されると、作業者は、機器用の取付台座２からＡ操作札１０とＢ操作札２０を一旦取って、図２（ｃ）に示すように、Ａ操作札１０のみ機器用の取付台座２に重ね合わせる。すると、開閉器３０は、両方の可動部３１が固定部３２から離れた後、下側の可動部３１のみ固定部３２に接し、下側の接点３３ｂが閉の状態、上側の接点３３ａが開の状態となり、電気回路４０が通電せず、ソレノイド４１が励磁されなくなる。すると、遮断器５１のピン５１ｂが車体５１ａの下面から下方に突出する。
【００３８】
なお、遮断器５１がキュービクル５２内から完全に引き出された位置において、ピン５１ｂが対向する床面にも受穴部（図示せず）が設けられていると、ピン５１ｂの下端部がこの受穴部内に入ることで、遮断器５１が不意に移動しないようにすることができる。
【００３９】
そして、作業者は、機器用の取付台座２に重ね合わされていたＢ操作札２０を指令所Ｘの表示用の取付台座１に重ね合わせる。表示用の取付台座１のピン１ａは、機器用の取付台座２のピン２ａと線対称に突設されていることから、Ｂ操作札２０は、機器用の取付台座２に重ね合わされていた状態と表裏反転して表示用の取付台座１に重ね合わされる。したがって、表示用の取付台座１に重ね合わされたＢ操作札２０は、「引出」という文字が露出（表示）され、指令所Ｘ内の責任者は、遮断器５１がキュービクル５２内から取り出されていることを認識できる。
【００４０】
そして、遮断器５１をキュービクル５２内に入れるときは、指令所Ｘの表示用の取付台座１に重ね合わされているＢ操作札２０を作業現場Ｙの機器用の取付台座２に重ね合わせる。Ｂ操作札２０は、「押入」という文字を露出（表示）して、上側の磁石の磁力により、開閉器３０は、離れていた上側の可動部３１が固定部３２に接し、上側の接点３３ａが閉の状態となる。したがって、開閉器３０は、電気回路４０を通電することにより、ソレノイド４１が励磁し、ピン５１ｂが上昇する。したがって、作業者は、遮断器５１をキュービクル５２内にスムーズに押し入れることができる。
【００４１】
そして、遮断器５１がキュービクル５２内に完全に入れられると、機器用の取付台座２からＡ操作札１０とＢ操作札２０を一旦取って、Ｂ操作札２０を機器用の取付台座２に重ね合わせる。すると、開閉器３０は、図２（ａ）に示すように、上側の接点３３ａが閉となり、下側の接点３３ｂが開となるため、電気回路４０が通電せず、ソレノイド４１が励磁されないことから、遮断器５１のピン５１ｂが下方に突出し、ピン５１ｂの下端部が受穴部５４内に入ることで、遮断器５１が移動しないようにすることができる。
【００４２】
なお、本発明に係る機器誤認操作防止ユニットは、前記の実施形態に限定することなく、種々変更することができる。例えば、操作機器５０は、真空遮断器５１以外に、気中負荷開閉器（ＰＡＳ）や限流ヒューズ付き負荷開閉器（ＬＢＳ）、さらに扉の鍵などでも実施することができる。
【符号の説明】
【００４３】
１…………（表示用の）取付台座
１ａ………ピン
２…………（機器用の）取付台座
２ａ………ピン
１０………（Ａ）操作札
１０ａ……掛止孔
１１………磁石
２０………（Ｂ）操作札
２０ａ……掛止孔
２１………磁石
３０………開閉器
３１………可動部
３２………固定部
３３ａ……接点
３３ｂ……接点
４０………電気回路
５０………操作機器
【図１】
2012016190.tif 000003
【図２】
2012016190.tif 000004
【図３】
2012016190.tif 000005
【図４】
2012016190.tif 000006
【図５】
2012016190.tif 000007
【図６】
2012016190.tif 000008
【図７】
2012016190.tif 000009
【図８】
2012016190.tif 000010